(57)【要約】【課題】磁気パネルを薄型化することができ、磁気ペンを保持する装着部の周辺の強度を落とすことなく、磁気ペンの取り外しを容易にすることができる磁気パネルセットを提供する。【解決手段】枠体５の表面側に、磁気ペン３の外形より大きく且つ枠体５内に没入するよう形成した内周壁５０ｂにて囲繞される装着凹部５ａを設け、装着凹部５ａの底部５ｂに、磁気ペン３の消去用磁石３ｄが吸着する磁性部材６を配すると共に、磁気パネル４の裏側から表側に向かって磁気ペン３を指で持ち上げることが可能な貫通孔５１ｄを設けたことを特徴とする。【選択図】図４
2011051099.tif 000002
【特許請求の範囲】
【請求項１】
表示用磁性体が分散媒中に分散された分散液体を液体収容室に収容したパネルの外周を枠体で被覆した磁気パネルと、軸部材の端部に筆記用磁石を有し且つ該軸部材の側面に軸心に沿った長尺の消去用磁石を有する磁気ペンを、前記該磁気パネルの枠体に形成した装着部に、着脱自在に装着する構造の磁気パネルセットにおいて、前記枠体の表面側に、前記磁気ペンの外形より大きく且つ当該枠体内に没入するよう形成した内周壁にて囲繞される装着凹部を設け、該装着凹部の底部に、前記磁気ペンの消去用磁石が吸着する磁性部材を配すると共に、前記磁気パネルの裏側から表側に向かって前記磁気ペンを指で持ち上げることが可能な貫通孔を設けたことを特徴とする磁気パネルセット。
【請求項２】
前記磁気ペンの軸部材の断面形状を扁平形状に形成すると共に、前記軸部材の側面における幅広側の面に前記消去用磁石を配したことを特徴とする請求項１に記載の磁気パネルセット。
【発明の詳細な説明】
【技術分野】
【０００１】
本発明は、筆記用磁石を軸部材の端部に有した磁気ペンでパネルの表面から筆記を行い、軸部材の側面の消去用磁石にてパネルの裏面から消去を行う磁気パネルに関し、特に携行して手書きができる大きさの磁気パネルと磁気ペンとの磁気パネルセットに関する。
【背景技術】
【０００２】
従来より、磁石の磁界を利用してパネルの表面側から筆記を行い、パネルの裏面側から消去を行う構造の磁気パネルは従来からよく知られている。
具体的にこの磁気パネルには、
（ａ）例えば、特公昭６２−５３３５９号公報により開示されているように、表面板の裏側に多セル構造の液体収容室を設け、磁性粒子を着色分散媒に分散した分散液体を前記液体収容室に封入し、パネルの表面側から磁気ペンの磁界を作用させることにより、分散媒中の磁性粒子を表側に引き寄せて表示を行い、またパネルの裏面側から消去用磁石の磁界で磁性粒子を裏側に引き寄せて筆跡を消去するいわゆる磁気泳動型表示パネル、
（ｂ）あるいは、ＷＯ２００５／０３３７９０号公報により開示されているように、高保磁力材からなる第１の磁性材料と低保磁力材からなる第２の磁性材料とが混在し、Ｓ極側表面を第一色に着色しＮ極側表面を第二色に着色した微小磁石が、第三色の色となる着色材を含有する分散媒中に分散された分散液体を液体収容室に収容した磁気パネルであって、パネルの表面側から磁気ペンの磁界を作用させて前記微小磁石を泳動または泳動／反転させて筆記を行い、さらに表面側から筆記の時とは逆の磁極を作用させることで、前記の表示を形成した微小磁石を反転させて筆記色を変化させることができ、またパネルの裏面側から消去用磁石の磁界で微小磁石を裏側に引き寄せて筆跡を消去する構造の磁気泳動反転型表示パネルがある。
【０００３】
こうした磁気パネル用の磁気ペンは、特開２００４−１８１７９２号公報や実開平５−５１６８７号公報などに開示されているように、筆記板の枠体の装着部へ着脱自在に装着して、磁気ペンの紛失を防止したり携行性を高めている。特開２００４−１８１７９２号公報に記載のあるものは、枠体に形成した凹状溝に複数の突片を形成し、磁気ペンを掛止させて装着できるようにしてあり、実開平５−５１６８７号公報に記載のあるものは、枠体に設けた膨出部の開口部に磁気ペンを挿して装着できるようにしてある。また、実開平５−５１６８７号公報の従来例として記載のあるものは、枠体の収納溝に設けた金属プレートに磁気ペンの消去用磁石を吸着させて装着する構造が記載されている。
【０００４】
ところで、前記特開２００４−１８１７９２号公報に記載のある磁気パネルでは、磁気ペンを保持させる凹状溝に形成してある突片が、繰返しの使用によって折れてしまう場合があり、また凹状溝の内周壁の一部を外方に開放して磁気ペンの着脱を行いやすくしてあることから、落下時の衝撃などにより凹状溝の周辺が破損しやすいという問題があった。
また、実開平５−５１６８７号公報に記載のある磁気パネルは、磁気パネルを薄形化する際に、磁気ペンを保持させるために形成した枠体の膨出部の存在が、磁気パネルの薄型化を妨げることになってしまう。
また、実開平５−５１６８７号公報に従来例として記載のある磁気パネルは、枠体の収納溝の金属プレートに吸着させる磁気ペンの消去用磁石の磁力が弱い場合や、あるいは収納溝に収容させた磁気ペンが枠体から大きくはみ出してしまう場合には、枠体に装着した磁気ペンが脱落しやすいという問題があり、反対に消去用磁石の磁力が強い場合には吸着力が強すぎて磁気ペンを取り外しにくいという問題が生じる場合があった。尚、実開平５−５１６８７号公報に従来例として記載のある磁気パネルにおいても、前記特開２００４−１８１７９２号公報に記載のある磁気パネルと同様に、収納溝の内周壁の一部を外方に開放させて指の挿入部を設けてあることから、落下時の衝撃などにより収納溝の周辺が破損しやすいという問題があった。
【特許文献１】特公昭６２−５３３５９号公報
【特許文献２】特公昭５９−３２７９６号公報
【特許文献３】ＷＯ  ２００５／０３３７９０号公報
【特許文献４】特開２００４−１８１７９２号公報
【特許文献５】実開平５−５１６８７号公報
【発明の開示】
【発明が解決しようとする課題】
【０００５】
本発明は、磁気パネルを薄型化することができ、磁気ペンを保持する装着部の周辺の強度を落とすことなく、磁気ペンの取り外しを容易にすることができる磁気パネルセットを提供することを目的とする。
【課題を解決するための手段】
【０００６】
本発明は、
「１．表示用磁性体が分散媒中に分散された分散液体を液体収容室に収容したパネルの外周を枠体で被覆した磁気パネルと、軸部材の端部に筆記用磁石を有し且つ該軸部材の側面に軸心に沿った長尺の消去用磁石を有する磁気ペンを、前記該磁気パネルの枠体に形成した装着部に、着脱自在に装着する構造の磁気パネルセットにおいて、前記枠体の表面側に、前記磁気ペンの外形より大きく且つ当該枠体内に没入するよう形成した内周壁にて囲繞される装着凹部を設け、該装着凹部の底部に、前記磁気ペンの消去用磁石が吸着する磁性部材を配すると共に、前記磁気パネルの裏側から表側に向かって前記磁気ペンを指で持ち上げることが可能な貫通孔を設けたことを特徴とする磁気パネルセット。
２．前記磁気ペンの軸部材の断面形状を扁平形状に形成すると共に、前記軸部材の側面における幅広側の面に前記消去用磁石を配したことを特徴とする１項に記載の磁気パネルセット。」である。
【０００７】
枠体の装着凹部の底部に配する磁性部材は、コスト面や加工性から鉄板を用いることが好ましい。また、装着凹部の底面に形成する貫通孔は、円形形状や角形形状など形状に限定はないが、装着凹部から磁気ペンを取り外す際に、磁気パネルの裏側から表側に向かって貫通孔の裏から指で磁気ペンを押し上げることができるようにすることが肝要である。
【発明の効果】
【０００８】
本発明の磁気パネルセットは前述したような構造なので、磁気ペンを保持する装着凹部が枠体に対して凹むことから、磁気パネルを薄形化することが可能であり、また装着凹部の底面に設けた貫通孔により磁気ペンを指で押し上げて取り外す構造としたので、枠体の装着凹部の周辺の強度を低下させることなく、磁気ペンの取り外しが容易なものとなった。さらに、磁気ペンの軸部材の断面形状を扁平形状とし、磁気ペンの側面における幅広側の面に消去用磁石を配することにより、磁気ペンを磁気パネルに装着した状態においても薄形化することができ、携行するのに好ましく、また装着持において磁気ペンが磁気パネルの枠体から突出する量を少なくすることができるので、装着凹部に装着してある磁気ペンに何かがぶつかって脱落してしまう虞を減少させるという効果が生じる。
【図面の簡単な説明】
【０００９】
【図１】本実施例の磁気パネルセットである。
【図２】図１の磁気パネルの中央部を横方向（Ａ−Ａ線方向）を一部断面とした図である。
【図３】図１の磁気ペンを装着してある箇所（Ｂ−Ｂ線方向）を一部断面とした図である。
【図４】取り外した磁気ペンの筆記用磁石にてパネル表面側より筆記を行っている状態の参考図である。
【図５】取り外した磁気ペンの消去用磁石にてパネル裏面側より消去を行っている状態の参考図である。
【発明を実施するための形態】
【００１０】
次に図面を参照しながら、本発明の磁気パネルセットを説明するが、本発明は以下の実施例に限定されるものではない。また図中の同じ部材、同じ部品については、同じ符号としてある。本実施例では、磁気パネルの筆記を行う側を表面とし反対側を裏面として表現する。
【００１１】
図１は本実施例の磁気パネルセットである。磁気パネルセット１は、磁気パネル２に磁気ペン３を装着した状態である。磁気ペン３は、軸部材３ａの断面形状を扁平形状にしてあり、軸部材３ａの両端部に筆記用磁石３ｂ，３ｃを設けてある。また磁気パネル２は、パネル４の外周を枠体５で被覆してあり、枠体５の一辺に装着凹部５ａを形成して前記磁気ペン３を装着してある。本実施例の枠体５は、上枠５０と下枠５１とで構成してある。
図２は図１の磁気パネルの中央部を横方向（Ａ−Ａ線方向）に一部断面とした図で、図３は図１の磁気ペンを装着してある箇所（Ｂ−Ｂ線方向）を一部断面とした図である。
本実施例のパネル４は、ハニカム構造の液体収容室４ａの内部に、図示しないが磁性粒子を着色分散媒に分散した分散液体を封入し、パネル４の表面４ｂ側から磁気ペン３に設けた筆記用磁石３ｂ，３ｃ（図１参照）の磁界を作用させることにより、分散媒中の磁性粒子をパネル４の表面４ｂ側に引き寄せて表示を行い、また下枠５１に設けた開口窓５１ａより露出させたパネル４の裏面４ｃから、磁気ペン３の側面の幅広側に設けた消去用磁石３ｄ（図５参照）の磁界で磁性粒子を裏側に引き寄せて筆跡を消去するいわゆる磁気泳動型表示パネルである。パネル４の下方周辺にはフランジ部４ｄを形成してあり、フランジ部４ｄを、上枠５０に形成した長方形形状の開口窓５０ａの周縁部と、下枠５１に設けた開口窓５１ａの周縁部に形成した段部５１ｂとの間で挟持して固定してある。
【００１２】
また図２に示すように、上枠５０と下枠５１とは螺子５２で固定してあり、前述した装着凹部５ａは、上枠５０に形成した前記磁気ペン３の外形形状に沿って若干大きく開口させた開口部５０ｂの内周壁５０ｃと、開口部５０ｂから露出させた下枠５１の表面とで囲んだ領域で構成してある。また図３に示すように、装着凹部５ａの底部５ｂとなる下枠５１の上面には取付溝５１ｃを形成してあり、取付溝５１ｃに鉄板６を接着して磁気ペン３の消去用磁石３ｄを吸着させて保持させる構造としてある。また下枠５１には、円形形状の貫通孔５１ｄを形成してあり、図３に示すように、貫通孔５１ｄを利用して指で磁気ペン３を上方へ押し上げて、磁気ペン３を装着凹部５ａから容易に取り外すことができるようにしてある。
【００１３】
図４は取り外した磁気ペンの筆記用磁石にてパネル表面側より筆記を行っている状態の参考図であり、図５は取り外した磁気ペンの消去用磁石にてパネル裏面側より消去を行っている状態の参考図である。
図４に示すように本実施例では、磁気ペン３の筆記用磁石３ｂをパネル４の表面４ｂ側に当接して移動させることにより、筆記用磁石３ｂの大きさに準じた線巾で液体収容室４ａ内の磁性粒子をパネル４の表面４ｂ側に引き寄せて筆跡７を描くことができた。尚、磁気ペン３の軸部材３ａの反対側に設けた筆記用磁石３ｃにて筆記を行えば、筆記用磁石３ｃが筆記用磁石３ｂより径が大きいことから、筆記用磁石３ｂより太い筆跡を描くことができる。
また図５に示したように、下枠５１に設けた開口窓５１ａより露出させたパネル４の裏面４ｃ側から、磁気ペン３の側面の幅広側に設けた消去用磁石３ｄの磁界を作用させることにより、磁性粒子をパネル４の裏面４ｃ側に引き寄せて、図４に示したパネル４の表面側の筆跡７を消去することができた。
【産業上の利用可能性】
【００１４】
本発明における磁気パネルセットのパネル構造は、表示用磁性体を分散媒中に分散した分散液体をマイクロカプセルに収容させた構造の磁気パネルに使用することも可能である。
【符号の説明】
【００１５】
１…磁気パネルセット、２…磁気パネル、
３…磁気ペン、３ａ…軸部材、３ｂ，３ｃ…筆記用磁石、３ｄ…消去用磁石、
４…パネル、４ａ…液体収容室、４ｂ…表面、４ｃ…裏面、４ｄ…フランジ部、
５…枠体、５ａ…装着凹部、５ｂ…底部、
５０…上枠、５０ａ…開口部、５０ｂ…内周壁、
５１…下枠、５１ａ…開口窓、５１ｂ…段部、５１ｃ…取付溝、５１ｄ…貫通孔、
５２…螺子、６…鉄板、７…筆跡。
【図１】
2011051099.tif 000003
【図２】
2011051099.tif 000004
【図３】
2011051099.tif 000005
【図４】
2011051099.tif 000006
【図５】
2011051099.tif 000007